(57)【要約】【課題】電気分解装置において析出したスケールが電気分解装置よりも下流側に設けられる水熱交換器に流れ込むのを抑制することができる電気分解装置及びこれを備えた温度調節水供給機を提供する。【解決手段】電気分解装置４１は、水に含まれるスケール成分を除去するためのものである。電気分解装置４１は、水入口４３及び水出口４５を有する容器４７と、容器４７内に収容され、表面の算術平均粗さＲａが１０μｍ以上である複数の電極５１，５２と、を備える。【選択図】図４
2013208528.tif 000002
【特許請求の範囲】
【請求項１】
水に含まれるスケール成分を除去するための電気分解装置であって、
水入口（４３）及び水出口（４５）を有する容器（４７）と、
前記容器（４７）内に収容され、表面の算術平均粗さ（Ｒａ）が１０μｍ以上である複数の電極（５１，５２）と、を備える電気分解装置。
【請求項２】
前記複数の電極（５１，５２）における前記算術平均粗さ（Ｒａ）は１００μｍ以下である、請求項１に記載の電気分解装置。
【請求項３】
水を加熱するための水熱交換器（２１）と、
前記水熱交換器（２１）に送る水に含まれるスケール成分を除去するための請求項１又は２に記載の電気分解装置（４１）と、を備えた温度調節水供給機。
【請求項４】
予め定められた条件に基づいて、前記複数の電極（５１，５２）の極性を反転させる制御部（３３）をさらに備える、請求項３に記載の温度調節水供給機。
【請求項５】
前記水熱交換器（２１）において加熱された水が貯留されるタンク（１５）をさらに備え、
前記制御部（３３）は、前記水熱交換器（２１）において水を加熱した水を前記タンクに貯留する沸上げ運転のスケジュールに基づいて、前記沸上げ運転の終了時、次回の沸上げ運転の開始時、又は前記終了時と前記開始時との間に、前記複数の電極（５１，５２）の極性を反転させる、請求項４に記載の温度調節水供給機。 
【発明の詳細な説明】
【技術分野】
【０００１】
本発明は、電気分解装置及びこれを備えたヒートポンプ給湯機、燃焼式給湯機、電気温水機、冷却塔などの温度調節水供給機に関するものである。
【背景技術】
【０００２】
従来、容器内に複数の電極が配置され、水に含まれるスケール成分を除去する電気分解装置が知られている。この電気分解装置では、電気分解に要する消費電力を抑えることが望まれる。しかし、所定のスケール成分除去性能を得るためには、それに応じた電流が必要とされる。したがって、このような電気分解装置において消費電力を抑えつつ所望のスケール成分除去性能を得るためには、電極表面における電気抵抗を低減させることが望まれる。
【０００３】
特許文献１には、電極表面における中心線平均粗さが１．５μｍ以下の電極を備える電解水生成装置が開示されている。この特許文献１の段落００２６には、析出物であるＣａＣＯ３の付着率は、Ｒａ＝１．５μｍ以下において急激に低下すると記載されている。
【先行技術文献】
【特許文献】
【０００４】
【特許文献１】特開２００９−２０７９６２号公報
【発明の概要】
【発明が解決しようとする課題】
【０００５】
ところで、特許文献１に記載の装置を、ヒートポンプ給湯機、燃焼式給湯機、電気温水機、冷却塔などに適用すると次のような問題が生じる。
【０００６】
ヒートポンプ給湯機、燃焼式給湯機、電気温水機、冷却塔などのように温度調節された水を供給する温度調節水供給機は、水を加熱又は冷却するための水熱交換器を備える。特許文献１に記載の装置では、電気分解時に析出したスケールは、電極表面に付着せずに装置から水とともに流出し、これよりも下流側に設けられる水熱交換器に流れ込む。その結果、スケールが水熱交換器の内部に付着し、水熱交換器において流動抵抗が増大する、伝熱性能が低下するなどの問題が生じる場合がある。
【０００７】
また、ヒートポンプ給湯機は、水熱交換器よりも下流側に水（湯）を貯留するタンクをさらに備えており、このタンクにスケールが流れ込む場合がある。タンクにスケールが流れ込むと、タンクにスケールが蓄積する、タンクから供給される水（ユーザーが使用する水）にスケールが含まれるなどの問題が生じる場合がある。
【０００８】
そこで、本発明の目的は、電気分解装置において析出したスケールが電気分解装置よりも下流側に設けられる水熱交換器に流れ込むのを抑制することができる電気分解装置及びこれを備えた温度調節水供給機を提供することである。
【課題を解決するための手段】
【０００９】
本発明の電気分解装置は、水に含まれるスケール成分を除去するためのものである。前記電気分解装置は、水入口（４３）及び水出口（４５）を有する容器（４７）と、前記容器（４７）内に収容され、表面の算術平均粗さ（Ｒａ）が１０μｍ以上である複数の電極（５１，５２）と、を備える。
【００１０】
この構成では、複数の電極（５１，５２）における前記算術平均粗さ（Ｒａ）が１０μｍ以上であるので、複数の電極（５１，５２）のうち陰極として機能する電極の表面において析出したスケールが電極表面から脱落しにくくなる。これにより、スケールが電気分解装置よりも下流側に設けられる水熱交換器に流れ込むのを抑制することができる。具体的には次の通りである。
【００１１】
すなわち、電極表面に付着するスケールの主成分である炭酸カルシウムの結晶は１０μｍ程度の大きさに成長する。しかし、従来の電気分解装置に用いられる電極表面は算術平均粗さＲａが１〜２μｍ程度の平滑面であり、また、電気分解時には電極表面の近傍に水の流れが形成されている。したがって、上記のように電極表面においてある程度の大きさに成長したスケールは、電極表面から脱落しやすくなり、その結果、電気分解装置から流出しやすくなる。
【００１２】
一方、本発明における電極表面における算術平均粗さＲａは１０μｍ以上の粗面であるので、この粗面を構成する凹凸における凹み内にある程度の大きさに成長したスケールが保持されやすくなる。したがって、電気分解時に電極表面の近傍に水の流れが形成されていても、電極表面からスケールが脱落しにくくなるので、スケールが電気分解装置から流出するのを抑制できる。
【００１３】
前記電気分解装置において、前記複数の電極（５１，５２）における前記算術平均粗さ（Ｒａ）は１００μｍ以下であるのが好ましい。
【００１４】
この構成では、電極表面が１００μｍ以下の算術平均粗さ（Ｒａ）に調節されているので、電極の近傍を水が流れる際の抵抗が大きくなるのを抑制できる。また、この構成では、塗装、めっきなどの手段を用いて塗膜がコーティングされることによって形成されている場合には、その塗膜の剥がれるなどの不具合が生じにくくなる。
【００１５】
本発明の温度調節水供給機は、水を加熱するための水熱交換器（２１）と、前記水熱交換器（２１）に送る水に含まれるスケール成分を除去するための前記電気分解装置（４１）と、を備える。
【００１６】
この構成では、温度調節水供給機において、電気分解時に生じたスケールが水熱交換器（２１）に流れ込むのを抑制することができる。
【００１７】
前記温度調節水供給機は、予め定められた条件に基づいて、前記複数の電極（５１，５２）の極性を反転させる制御部（３３）をさらに備えるのが好ましい。
【００１８】
この構成では、予め定められた条件に基づいて、複数の電極（５１，５２）の極性が反転する。したがって、スケールが付着した陰極は、極性の反転後には陽極として機能する。これにより、電極に付着していたスケールが電極から脱落するので、スケールの付着量が過度に増大して電気抵抗が増大するのを抑制できる。これにより、電気分解に要する消費電力を抑えることができ、また、スケール成分除去性能を高めることができる。
【００１９】
前記温度調節水供給機は、前記水熱交換器（２１）において加熱された水が貯留されるタンク（１５）をさらに備え、前記制御部（３３）は、前記水熱交換器（２１）において水を加熱した水を前記タンクに貯留する沸上げ運転のスケジュールに基づいて、前記沸上げ運転の終了時、次回の沸上げ運転の開始時、又は前記終了時と前記開始時との間に、前記複数の電極（５１，５２）の極性を反転させるのが好ましい。
【００２０】
この構成では、温度調節水供給機の沸上げ運転のスケジュールに基づいて複数の電極（５１，５２）の極性反転の制御が実行されるので、沸上げ運転の開始又は終了に関連付けることなく頻繁に（例えば１日に複数回）、複数の電極（５１，５２）の極性反転を行う場合に比べて、電極の寿命が短くなるのを抑制できる。すなわち、この構成では、スケールの付着量が過度に増大して電気抵抗が増大するのを抑制しつつ、電極の寿命が短くなるのを抑制できる。また、電極表面の電気抵抗が低減されることにより、電気分解に要する消費電力を抑えることができ、また、スケール成分除去性能を高めることができる。
【発明の効果】
【００２１】
以上説明したように、本発明によれば、電気分解装置において析出したスケールが電気分解装置よりも下流側に設けられる水熱交換器に流れ込むのを抑制することができる。
【図面の簡単な説明】
【００２２】
【図１】本発明の一実施形態にかかるヒートポンプ給湯機を示す構成図である。
【図２】前記ヒートポンプ給湯機に用いられる電気分解装置を示す斜視図である。
【図３】（Ａ）は、前記電気分解装置を鉛直方向に平行な平面で切断したときの断面図であり、（Ｂ）は、前記電気分解装置を水平方向に平行な平面で切断したときの断面図である。
【図４】前記電気分解装置の変形例を示す概略図である。
【図５】前記電気分解装置を備えた冷却塔、燃焼式給湯機又は電気温水機の構成を示す概略図である。
【発明を実施するための形態】
【００２３】
＜ヒートポンプ給湯機＞
以下、本発明の一実施形態に係る温度調節水供給機としてのヒートポンプ給湯機１１について図面を参照しながら説明する。図１に示すように、本実施形態に係るヒートポンプ給湯機１１は、ヒートポンプユニット１３と、貯湯ユニット１７と、電気分解装置４１と、これらを制御するコントローラ３２とを備えている。
【００２４】
貯湯ユニット１７は、水を貯留するタンク１５と、ポンプ３１と、導水路２７，２９とを有する。タンク１５と水熱交換器２１とは、導水路２７，２９により接続されている。導水路２７，２９は、タンク１５の水を水熱交換器２１に送る送り側流路を有する入水配管２７と、水熱交換器２１と熱交換して加熱された水をタンク１５に戻す戻し側流路を有する出湯配管２９とを含む。入水配管２７には、水を送液するためのポンプ３１が設けられている。ポンプ３１は、タンク１５内の水を、タンク１５の下部から入水配管２７に流出させ、入水配管２７、水熱交換器２１および出湯配管２９の順に送水し、タンク１５の上部に戻す。
【００２５】
また、ヒートポンプ給湯機１１は、冷媒回路１０ａと、貯湯回路１０ｂとを備えている。冷媒回路１０ａは、圧縮機１９、水熱交換器２１、膨張機構としての電動膨張弁２３、空気熱交換器２５、及びこれらを接続する冷媒配管を含む。貯湯回路１０ｂは、タンク１５、ポンプ３１、水熱交換器２１、電気分解装置４１、及びこれらを接続する導水路２７，２９を含む。
【００２６】
本実施形態では、冷媒回路１０ａを循環する冷媒として二酸化炭素を用いているが、これに限定されない。冷媒回路１０ａを循環する冷媒は、水熱交換器２１において貯湯回路１０ｂを循環する水と熱交換してこの水を加熱し、空気熱交換器２５において外気と熱交換して外気から熱を吸収する。
【００２７】
タンク１５には給水配管３７と給湯配管３５とが接続されている。給湯配管３５は、タンク１５の上部に接続されている。この給湯配管３５は、タンク１５内に貯留された高温の水を取り出して浴槽などへ給湯するためのものである。給水配管３７は、タンク１５の底部に接続されている。この給水配管３７は、給水源からタンク１５内に低温の水を給水するためのものである。タンク１５へ水を給水する給水源としては、例えば水道水や、井戸水などの地下水を利用することができる。本実施形態の給湯機１１は、給湯配管３５から給湯された水をタンク１５に戻さない一過式の給湯機である。
【００２８】
電気分解装置４１は、入水配管２７における水熱交換器２１よりも上流側の位置でポンプ３１の下流側の位置に設けられている。電気分解装置４１の詳細については後述する。
【００２９】
コントローラ３２は、制御部３３と、メモリ（記憶部）３４とを有している。制御部３３は、メモリ３４に記憶された沸上げ運転のスケジュールに基づいてタンク１５内の水を沸き上げる沸上げ運転を制御する。また、制御部３３は、前記沸上げ運転のスケジュールに基づいて後述するように電極対４９の極性を反転させる。
【００３０】
次に、ヒートポンプ給湯機１１の動作について説明する。タンク１５内の水を沸上げる沸上げ運転では、制御部３３は、ヒートポンプユニット１３の圧縮機１９を駆動させ、電動膨張弁２３の開度を調節するとともに、貯湯ユニット１７のポンプ３１を駆動させる。これにより、図１に示すように、タンク１５の底部に設けられた出水口からタンク１５内の低温の水が入水配管２７を通じて水熱交換器２１に送られ、水熱交換器２１において加熱される。加熱された高温の水は出湯配管２９を通じてタンク１５の上部に設けられた入水口からタンク１５内に戻される。これにより、タンク１５内には、その上部から順に高温の水が貯湯されていく。この沸上げ運転では、電気分解装置４１によって水に含まれるスケール成分が除去される。
【００３１】
本実施形態のヒートポンプ給湯機１１は、一過式の給湯機である。この一過式の給湯機１１では、給湯配管３５から給湯された水（湯）は、ユーザーによって使用され、タンク１５には戻らない。したがって、タンク１５から給湯配管３５を通じて給湯された水量とほぼ同じ量の水が給水源から給水配管３７を通じてタンク１５に給水される。すなわち、タンク１５には、水道水や井戸水などの給水源からスケール成分を含む水がタンク１５に補充される頻度が高く、補充される量も多い。したがって、一過式のヒートポンプ給湯機の場合には、循環式の冷却水循環装置や循環式の給湯機に比べて、効率よくスケール成分を除去する必要がある。
【００３２】
＜電気分解装置＞
図２は、電気分解装置４１を示す斜視図である。図３（Ａ）は、電気分解装置４１を鉛直方向に平行な平面で切断した断面図であり、図３（Ｂ）は、電気分解装置４１を水平方向に平行な平面で切断した断面図である。本実施形態に係る電気分解装置４１は、水熱交換器２１に送る水に含まれるスケール成分を除去するためのものである。電気分解装置４１は、水入口４３及び水出口４５を有する容器４７と、容器４７内に収容された複数の電極５１，５２とを備える。複数の電極５１，５２は、複数の第１電極５１と複数の第２電極５２とを含む。
【００３３】
各電極は、耐食性に優れた材料により形成されている。各電極を主に構成する材料としては、白金、チタンなどが例示できる。具体的には次の通りである。
【００３４】
例えば、各電極は、少なくとも表面が白金を主成分とする材料により形成されているのが好ましい。具体的に、各電極の全体が白金を主成分とする材料（白金、白金合金などの材料）により形成されている形態が例示できる。また、各電極が、白金よりもイオン化傾向の大きい材料（すなわち、水中において白金よりも酸化されやすい材料）により形成された電極本体と、この電極本体の表面に白金を主成分とする材料（白金、白金合金などの材料）により形成されたコーティング層とを有する形態が例示できる。電極本体の材料としては、例えばチタンを主成分とする材料（チタン、チタン合金などの材料）などが例示できる。
【００３５】
また、各電極は、水中において白金よりも酸化されやすいものの比較的耐食性に優れた材料として例えばチタンを主成分とする材料（チタン、チタン合金などの材料）などにより形成されている形態が例示できる。
【００３６】
また、各電極の表面の算術平均粗さＲａは１０μｍ以上である。これにより、電気分解時に析出するスケールが電極（陰極）表面から脱落しにくくなる。各電極の表面粗さを上記範囲に調節する手段としては、上記した白金やチタンなどにより構成される電極用の基材に対して例えば塗装、めっきなどのコーティングを施す方法を採用できる他、電極用の基材に対してエッチング法、放電加工法、ブラスト処理法などの粗面加工などを施す方法を採用することができる。
【００３７】
具体的に、めっきを施す方法により表面粗さを上記範囲に調節する場合には、例えば所定範囲の大きさを有する導電性微粒子（例えば白金などの金属微粒子）を電極用の基材にめっきする方法が挙げられる。
【００３８】
また、塗装を施す方法により表面粗さを上記範囲に調節する場合には、塗膜は、導電性材料により形成される。具体的に、導電性材料としては、例えば、金属やカーボンなどの粒子を配合した塗料などが挙げられる。
【００３９】
また、各電極の表面の算術平均粗さＲａは１００μｍ以下であるのが好ましい。これにより、電極の近傍を水が流れる際の抵抗が大きくなるのを抑制できる。また、例えば塗装、めっきなどの手段を用いて電極用の基材に塗膜がコーティングされている場合には、その電極表面（塗膜表面）が１００μｍ以下の算術平均粗さＲａに調節されることにより、塗膜の剥がれるなどの不具合が生じにくくなる。
【００４０】
算術平均粗さＲａは、ＪＩＳＢ０６０１における「４．２  高さ方向のパラメータ（高さ方向の平均）」の「４．２．１  輪郭曲線の算術平均高さＰａ，Ｒａ，Ｗａ」に規定されている。また、算術平均粗さＲａの評価手順は、ＪＩＳＢ０６３３に規定されている。また、算術平均粗さＲａを測定する触針式表面粗さ測定機の一例は、ＪＩＳＢ０６５１に記載されている。
【００４１】
本実施形態に用いられる電極５１，５２の主な特徴は上記の通りであるが、以下では、本実施形態に係る電気分解装置４１の具体的な構成についてさらに詳しく説明する。
【００４２】
複数の第１電極５１及び複数の第２電極５２は、第１電極５１と第２電極５２が交互に配置されるように、一方向（電極の厚さ方向）に配列されている。複数の第１電極５１及び複数の第２電極５２は、隣り合う電極の一方が陽極として機能し、隣り合う電極の他方が陰極として機能するように電源５３に接続されている。電源５３としては、例えば直流電源が用いられる。隣り合う電極５１，５２は、電極対４９を構成している。本実施形態では、複数の第１電極５１及び複数の第２電極５２は、電源５３に対して並列に接続されているが、これに限定されない。
【００４３】
各電極の形状としては、例えば板形状、棒形状などの種々の形状を採用することができるが、本実施形態では板形状を採用している。これにより、各電極の表面積を大きくすることができる。また、本実施形態では、複数の第１電極５１及び複数の第２電極５２は、互いに平行な姿勢で配置されており、電極の厚さ方向に配列されている。さらに、本実施形態では、複数の第１電極５１及び複数の第２電極５２は、容器４７内において水が蛇行しながら流れる蛇行流路が形成されるように配置されている。具体的には次の通りである。
【００４４】
図２及び図３（Ａ），（Ｂ）に示すように、容器４７は、６つの壁部により構成された略直方体形状を有する。これらの壁部は、水が流れる水流空間を形成している。６つの壁部は、第１壁部４７１、第２壁部４７２、第３壁部４７３、第４壁部４７４、第５壁部４７５及び第６壁部４７６を含む。
【００４５】
第１壁部４７１は、水の流れの上流側に位置し、第２壁部４７２は、第１壁部４７１と平行な姿勢で水の流れの下流側に位置している。第１壁部４７１と第２壁部４７２は、各第１電極５１及び各第２電極５２と平行な姿勢で配置されている。第３〜第６壁部は、第１壁部４７１と第２壁部４７２の周縁部同士をつないでいる。第３壁部４７３は、下方に位置し、第４壁部４７４は、第３壁部４７３と平行な姿勢で上方に位置している。第５壁部４７５は、下流側に向かって右側に位置し、第６壁部４７６は、第５壁部４７５と平行な姿勢で下流側に向かって左側に位置している。
【００４６】
容器４７の水入口４３は、第１壁部４７１の下部に設けられており、水出口４５は、第２壁部４７２の上部に設けられている。水入口４３にはポンプ３１側に位置する入水配管２７が接続されており、水出口４５には水熱交換器２１側に位置する入水配管２７が接続されている。ポンプ３１により入水配管２７を通じて電気分解装置４１に送られる水は、水入口４３から容器４７の内部の水流空間に流入する。水流空間に流入した水は、水の流れの下流側に向かって流れ、水出口４５から容器４７の外部に排出される。
【００４７】
複数の電極５１，５２は、電極の厚み方向に互いに間隔をあけて水平方向に沿って配列されている。電極同士の隙間は、水が流れる流路として機能する。複数の電極５１，５２は、第３壁部４７３に接しているものと、第４壁部４７４に接しているものとが交互に並んでいる。具体的に、各第１電極５１は、第３壁部４７３に接しており、第４壁部４７４に向かって延びている。各第１電極５１と第４壁部４７４の内面との間には水が流通可能な隙間が設けられている。各第２電極５２は、第４壁部４７４に接しており、第３壁部４７３に向かって延びている。各第２電極５２と第３壁部４７３の内面との間には水が流通可能な隙間が設けられている。これにより、容器４７内には、図３（Ａ）に示すような蛇行流路が形成されている。
【００４８】
以上のような構造を有する電気分解装置４１では、水入口４３から容器４７内に流入した水が水出口４５から容器４７外に流出するまでの間に、水に含まれるスケール成分が電気分解によって隣り合う電極により構成される電極対の陰極にスケールとして析出する。陰極に付着したスケールは、例えば予め定められた条件に基づいて電極５１，５２の極性を反転させることにより、陰極から脱落して容器４７の第３壁部４７３上に沈殿する。極性反転機構の具体例を挙げると次の通りである。
【００４９】
図３に示すように、電気分解装置４１は、各電極対４９の極性を反転させるための反転機構６３を備えている。反転機構６３は、制御部３３により制御される。反転機構６３は、接点切換部７１と接点切換部７２とを有しており、接点切換部７１の接点及び接点切換部７２の接点が切り換えられることによって電極５１，５２の極性を反転させることができる。
【００５０】
具体的に、反転機構６３が図３において左側に示す状態のときには、複数の第１電極５１は電源５３の負極につながり、複数の第２電極５２は電源５３の正極につながる。一方、反転機構６３が図３において右側示す状態のときには、複数の第１電極５１は電源５３の正極につながり、複数の第２電極５２は電源５３の負極につながる。
【００５１】
本実施形態では、メモリ３４は、水熱交換器２１において水を加熱する沸上げ運転のスケジュールを記憶しており、制御部３３は、沸上げ運転のスケジュールに基づいて、沸上げ運転の終了時、次回の沸上げ運転の開始時、又は前記終了時と前記開始時との間に、複数の電極５１，５２の極性を反転させる。沸上げ運転のスケジュールとしては、例えば２２時から６時までの間の時間帯に沸上げ運転が実行される場合が挙げられる。また、沸上げ運転は、毎日実行されてもよく、例えば数日おきに実行されてもよい。
【００５２】
また、本実施形態における電気分解時の運転条件の一例を挙げると次のようになる。水入口４３を通じて容器４７内に流入する水の流量は、例えば０．６〜１．２リットル／分程度に調節される。そして、容器４７内において蛇行流路を流れる水の流速は、６〜１３ｍｍ／秒程度に調節される。この場合、蛇行流路における水の流れにおいて、レイノルズ数が９０〜２００程度となるように流路の大きさ（流路の断面積）が調節される。これらの流量、流速及びレイノルズ数は、運転条件の一例を示したものであり、上記の範囲に限定されない。また、流速及びレイノルズ数は、蛇行流路における複数箇所で測定される値の平均値が上記範囲に調整される。なお、蛇行流路において流速分布を有する流れとなる場合には、最も流速が大きくなる電極５１，５２間の幅方向の中央部分を流れる水の流速は、電極近傍を流れる水の流速のおおよそ２倍程度となる。
【００５３】
図４は、電気分解装置４１の変形例を示す概略図である。図４に示すように、この変形例は、蛇行流路を有していない点が図３（Ａ），（Ｂ）に示す実施形態と異なっている。具体的には、次の通りである。
【００５４】
図４に示すように、この電気分解装置４１は、水入口４３及び水出口４５を有する容器４７と、容器４７内に収容された第１電極５１及び第２電極５２とを備える。この変形例では、各電極の下端部は、容器４７の底面から離隔しており、各電極の上端部は、容器４７の上面から離隔しているので、上述したような蛇行流路を有していない。したがって、水入口４３から容器４７に流入した水は、ある程度ランダムに水入口４３から水出口４５に向かって容器４７内を流れ、水出口４５側に流れる途中で隣り合う電極間の隙間を通過する過程でスケール成分が除去される。なお、図４には、反転機構６３の記載を省略しているが、この変形例においても上述した反転機構６３を備えることが好ましい。
【００５５】
以上説明したように、図３（Ａ），（Ｂ）に示す実施形態及び図４に示す変形例では、複数の電極５１，５２における算術平均粗さＲａが１０μｍ以上であるので、複数の電極５１，５２のうち陰極として機能する電極の表面において析出したスケールが電極表面から脱落しにくくなる。これにより、スケールが電気分解装置よりも下流側に設けられる水熱交換器に流れ込むのを抑制することができる。しかも、複数の電極５１，５２における算術平均粗さＲａが１０μｍ以上であるので、従来の電極に比べて電極の表面積が大きい。これにより、電気分解時における電極表面の電気抵抗が低減される。
【００５６】
また、図３（Ａ），（Ｂ）に示す実施形態及び図４に示す変形例では、複数の電極５１，５２における算術平均粗さＲａが１００μｍ以下である。したがって、電極の近傍を水が流れる際の抵抗が大きくなるのを抑制できる。また、この構成では、塗装、めっきなどの手段を用いて塗膜がコーティングされるによって形成されている場合には、その塗膜の剥がれるなどの不具合が生じにくくなる。
【００５７】
また、図３（Ａ），（Ｂ）に示す実施形態及び図４に示す変形例では、予め定められた条件に基づいて、複数の電極５１，５２の極性が反転する反転制御が実行される。したがって、スケールが付着した陰極は、極性の反転後には陽極として機能する。これにより、電極に付着していたスケールが電極から脱落するので、スケールの付着量が過度に増大して電気抵抗が増大するのを抑制できる。これにより、電気分解に要する消費電力を抑えることができ、また、スケール成分除去性能を高めることができる。
【００５８】
ここで、一般に、ヒートポンプ給湯機では、例えば夜間の低価格の電力を使って沸上げ運転を行うように沸上げ運転のスケジュールが設定されている。すなわち、ヒートポンプ給湯機は、周期的な沸上げ運転のスケジュールに基づいて運転される。また、スケールを電極の表面から除去するために行われる極性の反転は、電極の腐食を早め、電極の寿命を短くする原因となる。したがって、前記電気分解装置をヒートポンプ給湯機に適用する場合には、次のような構成を備えるのが好ましい。
【００５９】
すなわち、水熱交換器２１において水を加熱する沸上げ運転のスケジュールに基づいて、沸上げ運転の終了時、次回の沸上げ運転の開始時、又は前記終了時と前記開始時との間に、複数の電極５１，５２の極性を反転させるのが好ましい。
【００６０】
この構成では、ヒートポンプ給湯機特有の運転周期に基づいて複数の電極５１，５２の極性反転の制御が実行されるので、沸上げ運転の開始又は終了に関連付けることなく頻繁に（例えば１日に複数回）、複数の電極５１，５２の極性反転を行う場合に比べて、電極の寿命が短くなるのを抑制できる。すなわち、この構成では、スケールの付着量が過度に増大して電気抵抗が増大するのを抑制しつつ、電極の寿命が短くなるのを抑制できる。すなわち、この構成では、スケールの付着量が過度に増大して電気抵抗が増大するのを抑制しつつ、電極の寿命が短くなるのを抑制できる。また、電極表面の電気抵抗が低減されることにより、電気分解に要する消費電力を抑えることができ、また、スケール成分除去性能を高めることができる。
【００６１】
なお、本発明は、前記実施形態に限られるものではなく、その趣旨を逸脱しない範囲で種々変更、改良等が可能である。
【００６２】
前記実施形態では、「予め定められた条件」が、ヒートポンプ給湯機１１における沸上げ運転のスケジュールに基づいて規定されている場合を例示したが、これに限定されない。例えば、前記反転制御は、予め定められた所定時間毎に実行されてもよい。また、前記反転制御は、電極の電気抵抗を検知する検知部によって検知される電気抵抗値が予め定められた値を超えたときに実行されてもよい。
【００６３】
前記実施形態では、複数の電極５１，５２が容器４７内において上下方向に蛇行する蛇行流路を形成している場合を例示したが、これに限定されない。例えば、複数の電極５１，５２が容器４７内において水平方向などの他の方向に蛇行する蛇行流路を形成する形態であってもよい。水平方向に蛇行する蛇行流路とするには、例えば、図３（Ａ），（Ｂ）に示す電気分解装置４１を、第５壁部４７５が下方に位置し、第６壁部４７６が上方に位置するように配置すればよい。
【００６４】
前記実施形態では、ヒートポンプ給湯機１１の水の流路において、ポンプ３１よりも下流側で水熱交換器２１よりも上流側に位置する入水配管２７に電気分解装置４１を設ける場合を例に挙げて説明したが、これに限定されない。電気分解装置４１は、水の流路において水熱交換器２１よりも上流側に設けられていればよい。具体的に、電気分解装置４１は、例えばポンプ３１よりも上流側の入水配管２７に設けられていてもよく、また、給水源からタンク１５に水を供給する給水配管３７に設けられていてもよい。
【００６５】
前記実施形態では、容器４７が略直方体の形状を有している場合を例に挙げて説明したが、これに限定されない。容器４７は、直方体以外の角柱形状であってもよく、円柱形状であってもよい。
【００６６】
また、前記実施形態では、一過式の給湯機を例に挙げて説明したが、これに限定されない。本発明は、例えば給湯配管３５から給湯された水（湯）の一部が再びタンク１５に戻されるタイプの給湯機にも適用することができる。
【００６７】
前記実施形態では、浴槽などへ給湯するための用途でヒートポンプ給湯機１１が用いられる場合を例示したが、これに限定されない。ヒートポンプ給湯機１１は、タンク１５内に貯留された高温の水を暖房用途などに用いる場合にも適用できる。すなわち、ヒートポンプ給湯機１１は、水を湯に変えて供給する装置であって、ヒートポンプ式温水暖房機における給湯機として用いることができる。
【００６８】
また、本発明の電気分解装置は、スケール成分を除去する必要がある他の用途、例えば冷却塔、燃焼式の給湯機、電気温水機などの温度調節水供給機（温度調節された水を供給する装置）にも適用することができる。前記冷却塔は、例えば図５に示すように、電気分解装置４１と、この電気分解装置４１よりも下流側に設けられる水熱交換器２１Ａとを備える。前記冷却塔では、水熱交換器２１Ａにおいて、他の装置で発生した熱を搬送してきた流体と熱交換することにより水が加熱される。前記燃焼式の給湯機は、図５に示すように、電気分解装置４１と、この電気分解装置４１よりも下流側に設けられる水熱交換器２１Ａとを備える。燃焼式の給湯機では、水熱交換器２１Ａにおいて燃料用のガスなどを燃焼させることにより得られる熱エネルギーを用いて水が加熱される。また、前記電気温水機は、図５に示すように、電気分解装置４１と、この電気分解装置４１よりも下流側に設けられる水熱交換器２１Ａとを備える。前記電気温水機では、水熱交換器２１Ａにおいて電気エネルギーを用いて水が加熱される。
【符号の説明】
【００６９】
１１  ヒートポンプ給湯機
１３  ヒートポンプユニット
１５  タンク
１７  貯湯ユニット
２１  水熱交換器
４１  電気分解装置
４３  水入口
４５  水出口
４６  排水口
４７  容器
５１  第１電極
５２  第２電極 
【図１】
2013208528.tif 000003
【図２】
2013208528.tif 000004
【図３】
2013208528.tif 000005
【図４】
2013208528.tif 000006
【図５】
2013208528.tif 000007